(57)【要約】      （修正有）【課題】業務用あるいは市販用などの固形ブロック状のバターを好適に保管する一方、使用に際しての取り扱いを容易とするバター保管容器を提供する。【解決手段】置台１０は、バターＢを載置する底板１１と、この底板１１の長手方向両端部から立上がるストッパ部１２、１２と、これらのストッパ部１２、１２から長手方向外側に突出する突当て部１３、１３と、を一体に備え、前記底板１１がカッティングボードを兼ねる。ケース２０は、一端が閉止され、他端の開口部より前記置台１０が挿入される角筒状のケース本体２１と、このケース本体２１の開口部を覆う脱着可能な蓋２２と、を含んで構成される。【選択図】図１
0003153923.tif 000002
【実用新案登録請求の範囲】
【請求項１】
固形ブロック状のバターの保管容器であって、
バターを載置する底板と、この底板の長手方向両端部から立上がるストッパ部と、を一体に備える置台、及び、
バターと共に前記置台を収納するケース、
を含んで構成され、
前記底板がカッティングボードを兼ねることを特徴とするバター保管容器。
【請求項２】
前記置台は、前記各ストッパ部から長手方向外側に突出する前記ケース内面への突当て部を更に備えることを特徴とする請求項１記載のバター保管容器。
【請求項３】
前記ケースは、一端が閉止され、他端の開口部より前記置台が挿入される角筒状のケース本体と、このケース本体の開口部を覆う脱着可能な蓋と、を含んで構成されることを特徴とする請求項１又は請求項２記載のバター保管容器。
【請求項４】
前記ケースは、前記置台を載置する下ケースと、この下ケースと嵌合して前記置台上方を覆う上ケースと、を含んで構成されることを特徴とする請求項１又は請求項２記載のバター保管容器。
【考案の詳細な説明】
【技術分野】
【０００１】
本考案は、業務用あるいは市販用（家庭用）などの固形ブロック状のバターを収納し冷蔵庫などで保管するためのバター保管容器に関する。
【背景技術】
【０００２】
バターは、業務用や市販用で大きさに違いはあるが、一般に直方体の固形ブロックであり、冷蔵庫で保管される。
業務用（パン教室などを含む）として、あるいは家庭で、バターを使用する場合は、冷蔵庫から取出して、必要とするグラム数分を分離しなければならない。
【先行技術文献】
【特許文献】
【０００３】
【特許文献１】特開平８−１９８３４６号公報
【考案の概要】
【考案が解決しようとする課題】
【０００４】
しかしながら、冷蔵庫から取出したバターは、硬いため、必要な量のバターを得るには、ナイフ等を用いてカッティングボード（まな板）上でしっかりと切断する必要があり、このため、冷蔵庫での保管用のケースからバターを取出して、カッティングボードに乗せ、切断後に残りのバターを再びケースに戻す必要があり、極めて煩雑であると共に、その都度、カッティングボードがバターの油分で汚れてしまう。
【０００５】
尚、特許文献１には、バターを筒状容器に直接入れ、徐々に出して、テグス等のカッターによりカットして料理に使用するようにしたものが開示されているが、筒状容器へのバターの出し入れは簡単ではない。
【０００６】
本考案は、このような実状に鑑み、固形ブロック状のバターを保存・使用するに際し、上記課題を解決するバター保管容器を提供するものである。
【課題を解決するための手段】
【０００７】
上記の課題を解決するために、本考案に係るバター保管容器は、バターを載置する底板と、この底板の長手方向両端部から立上がるストッパ部と、を一体に備える置台、及び、バターと共に前記置台を収納するケース、を含んで構成され、前記底板がカッティングボードを兼ねるようにした。
【考案の効果】
【０００８】
本考案によれば、使用に際して、ケースから置台ごとバターを取出し、置台上でバターをナイフ等により切断して必要量を分離し、残りは置台ごとケースに戻すだけでよく、極めて簡単に取り扱うことができるという効果を奏する。
【図面の簡単な説明】
【０００９】
【図１】本考案に係るバター保管容器の第１実施形態を示す正面断面図
【図２】同上第１実施形態の平面断面図
【図３】同上第１実施形態の右側面図
【図４】同上第１実施形態の蓋を外した状態での右側面図
【図５】本考案に係るバター保管容器の第２実施形態を示す正面断面図
【図６】同上第２実施形態の上ケースを外した状態での平面断面図
【図７】同上第２実施形態の右側面図
【図８】同上第２実施形態の右側面断面図
【図９】同上第２実施形態において複数の容器を連結する例を示す正面断面図
【考案を実施するための形態】
【００１０】
以下、本考案の実施の形態について、詳細に説明する。尚、本考案に係るバター保管容器は、保管対象とするバターのサイズに合わせた大きさとすることにより、直方体の固形ブロック状のバターであれば、業務用バターや市販用バターのいずれにも適用できる。また、バターに準じるものとしてマーガリンにも適用できる。
【００１１】
先ず、図１〜図４を参照して、本考案の第１実施形態について説明する。
第１実施形態でのバター保管容器は、置台１０とケース２０とから構成される。
置台１０は、スチレン系のＡＢＳ樹脂、ＨＩＰＳ樹脂等から作られ、固形ブロック状のバター（図示Ｂ）を載置する底板１１と、この底板１１の長手方向両端部から立上がるストッパ部１２、１２と、これらのストッパ部１２、１２の上端から長手方向外側に突出・延在する突当て部１３、１３とを一体に備える。また、必要により、底板１１の下面に適当な脚部１４を一体に備える。ここで、前記底板１１はカッティングボードを兼ねる。
【００１２】
保管対象とするバターを例えば業務用バターとし、そのサイズを、例えば、Ｌ１２５ｍｍ×Ｗ６５ｍｍ×Ｈ６０ｍｍとすると、底板１１は、バターを載置して、カッティングボードとして機能できるように、長さ（ストッパ部１２、１２間の寸法）がバターの長さＬよりやや大きく、幅（側縁間の距離）もバターの幅Ｗより大きくする（すなわち、Ｌ×Ｗよりやや大きくする）。
【００１３】
また、底板１１の上面は、バターの保持性向上のため、粗面とするとよい。
また、底板１１には、その側縁に沿って一定間隔の目盛り１５を設ける。目盛り１５を設ける部分は、バターの幅方向両端より外側で、バターの載置面より一段低くして、ここに凹条又は凸条による目盛り１５を設けるとよい。
【００１４】
この置台１０は、バターを載せた状態で、ケース２０内に収納される。
ケース２０は、透明又は半透明の硬質ポリエチレン樹脂又はポリプロピレン樹脂等から作られ、一端が閉止されて他端が開口する角筒状のケース本体２１と、軟質ポリエチレン樹脂等から作られ、前記ケース本体２１の開口部を覆う脱着可能な蓋２２と、から、いわゆるプラスチック製密封容器として、構成される。尚、図では省略したが、角筒状のケース本体２１は、成形上の抜き勾配より、実際は閉止部側から開口部側へ向かってテーパ状に拡径する。
【００１５】
収納に際しては、角筒状のケース本体２１を横にした状態で、一端側の開口部からバターを載せた置台１０を挿入し、挿入方向先端側の突当て部１３をケース本体２１の閉止部に突当てる。そして、ケース本体２１の開口部に蓋２２を装着して、密閉する。
【００１６】
この状態では、置台２２の挿入方向後端側の突当て部１３が蓋２２の内面に対しわずかな間隙を持って相対し、ケース２０内での置台１０の挿入方向の動きが規制される。
置台１０の長手方向両端部の突当て部１３、１３は、上記のようにケース２０内面への突当て部として機能する他、ケース本体２１への置台１０の出し入れ時に取手部として機能する。
【００１７】
かかるバター保管容器は、ケース２０ごと、冷蔵庫に入れて保管される。尚、冷蔵庫内で、ケース本体２１をそのまま横置きにして保管する他、閉止部側を下にして縦置きで保管するようにしてもよい。
【００１８】
また、ケース２０には、バターの種類（例えば「有塩」、「無塩」、「発酵」）や、賞味期限などをラベルなどで表示できるようにしておくとよい。
バターを使用する際は、冷蔵庫から、ケース２０ごと取出し、蓋２２を開けて、ケース本体２１から、置台１０ごとバターを取出す。このときは、開口部側の突当て部１３を取手部として持って、引出せばよい。
【００１９】
そして、置台１０の底板１１をそのままカッティングボードとして、バターをその幅Ｗ方向に横断するように、ナイフ（又はスケッパーなど）を入れ、必要量に相当する図示Ｌ方向の厚さ分、バターを切断して、必要量を分離する。このとき、目盛り１５を必要量の目安とすることができる。
【００２０】
その後は、残ったバターを載せたまま、置台１０をケース本体２１内に戻して、蓋２２をし、冷蔵庫に戻せばよい。従って、取り扱いは極めて容易である。
また、置台１０が、長手方向両端部のストッパ部１２、１２から長手方向外側に突出するケース２０内面への突当て部１３、１３を備えることにより、ケース２０内での置台１０の挿入方向の動きを規制できる他、突当て部１３、１３がスペーサとなってケース２０内面へのバター付着を防止でき、また、ケース２０への置台１０への出し入れ時に取手部として使用できる。更に、置台１０を左右対称形状とすることで、ケース２０への収納時に左右いずれの方向から挿入してもよく、この点でも取り扱いが容易となる。
【００２１】
但し、ケース２０の閉止部側へのバター付着が問題とならない場合は、閉止部側の突当て部１３を廃止して、ストッパ部１２を閉止部側へ直接突き当てるようにし、開口部側のみ突き当て部１３を残して、これを取手部とするようにしてもよい。
【００２２】
また、特に本実施形態によれば、ケース２０を、一端が閉止され、他端の開口部より置台１０が挿入される角筒状のケース本体２１と、このケース本体２１の開口部を脱着可能に覆う蓋２２と、から構成したことにより、横にしても、また縦にしても保管でき、取り扱いの自由度が向上する。また、開口部を小さくでき、その分、密封度を高く維持できるので、乾燥に強く、保存状態を良好に維持できる。
【００２３】
尚、第１実施形態の変形態様としては、第１実施形態の置台１０と蓋２２を一体化し、全体を２部品で構成することが考えられる。
次に、図５〜図９を参照して、本考案の第２実施形態について説明する。
【００２４】
第２実施形態でのバター保管容器は、置台１０とケース３０とから構成される。
置台１０については、第１実施形態と同じであり、説明を省略する。
ケース３０は、樹脂製で、置台１０を載置する下ケース３１と、この下ケース３１と嵌合して置台１０（これに載置されたバターを含む）の上方を覆う上ケース３２と、から構成される。尚、下ケース３１は上面開口の箱状体、上ケース３２は下面開口の箱状体であり、開口部同士の周縁部で嵌合する。
【００２５】
この場合、ケース３０への置台１０の出し入れの際は、下ケース３１から上ケース３２を外して行う。この状態で、下ケース３１から置台１０を容易に取出せるよう、また下ケース３１へ置台１０を容易に入れられるように、下ケース３１は浅くして、取手部となる突当て部１３、１３が下ケース３１から露出するようにしてある。このため、突当て部１３、１３は、上ケース３２の内面に突当たるようにしてある。
【００２６】
本実施形態によれば、ケース３０への置台１０の出し入れが異なるだけで、それ以外は、第１実施形態とほぼ同様の効果が得られる。
また、下ケース３１の底面に脚部を兼ねる凸部３３を設ける一方、上ケース３２の上面に凹部３４を設けてある。これは、複数のバター保管容器（ケース３０）を図９に示すように上下に嵌合させて連結できるようにするためのものである。これにより、異なる種類のバターなどをまとめて保管できる。この場合、下ケース３１の底面側を凹部とし、上ケース３２の上面側を凸部として、連結するようにもよいことは言うまでもない。このような連結方式を第１実施形態に適用することも考えられる。
【００２７】
尚、第２実施形態の変形態様としては、第２実施形態の下ケース３１を十分浅く（置台１０の上面より低く）したうえで、置台１０と下ケース３１を一体化し、全体を２部品で構成することも考えられる。この場合は、上ケース３２を外すだけで切断が可能となる。
【符号の説明】
【００２８】
Ｂ    バター
１０  置台
１１  底板（カッティングボードを兼ねる）
１２  ストッパ部
１３  突当て部（取手部）
１４  脚部
１５  目盛り
２０  ケース
２１  角筒状のケース本体
２２  蓋
３０  ケース
３１  下ケース
３２  上ケース
３３  脚部を兼ねる凸部
３４  凹部
【図１】
0003153923.tif 000003
【図２】
0003153923.tif 000004
【図３】
0003153923.tif 000005
【図４】
0003153923.tif 000006
【図５】
0003153923.tif 000007
【図６】
0003153923.tif 000008
【図７】
0003153923.tif 000009
【図８】
0003153923.tif 000010
【図９】
0003153923.tif 000011